(57)【要約】【課題】検針装置を設置した後も、時代と共に変化する料金政策等に柔軟に対応でき、かつ精度のよい複数の積算カウンタの対応ができる。【解決手段】ガスメータ１０１の最大計測分解能の情報としてガス使用状態を親機１０８に無線で送る子機１０４と、子機１０４からのガス使用状態の情報とガス器具１０６、１０７からの運転情報をもとに時間帯別や器具別のガス使用量等を算出するガス使用量算出部と、算出した結果を前記自動検針センターに送信する通信部を備えた宅内に設置された親機で構成している。【選択図】　図１
2004126936.tif 000002
【特許請求の範囲】
【請求項１】
自動検針センターと、各需要家のガス使用状態を検出するガス使用状態検出部と検出したガス使用状態を最大計測分解能の情報として送信する通信部とを備えたガスメータと、前記ガスメータに接続され前記ガスメータの通信部からガス使用状態の情報を受けて無線で送信する通信部を備えた子機と、ガス器具の運転情報を無線で送信する複数のガス器具と、前記子機及び前記ガス器具と無線通信を行う通信部と前記子機からのガス使用状態の情報と前記ガス器具からの運転情報をもとに時間帯別や器具別のガス使用量等を算出するガス使用量算出部と算出した結果を前記自動検針センターに送信する通信部を備えた親機とから構成され、前記親機は宅内に設置された無線検針装置。
【請求項２】
子機をガスメータからのガス使用状態の情報を受信する通信部と、受信したガス使用状態の情報を所定期間分記憶する記憶部Ａと、前記記憶部Ａに記憶された所定期間分のガス使用状態の情報をまとめて無線で送信する通信部と、前記子機の電源としての電池を備えたことを特徴とする請求項１に記載の無線検針装置。
【請求項３】
子機をガスメータからのガス使用状態の情報を受信する通信部と、前記ガスメータからのガス使用状態の情報を所定期間分の開始時刻と所定単位計量毎の時間間隔情報として記憶する記憶部Ｂと、前記記憶部Ｂに記憶された所定期間分のガス使用状態の情報をまとめて無線で送信する通信部と、前記子機の電源としての電池を備えたことを特徴とする請求項１に記載の無線検針装置。
【請求項４】
子機をガスメータからのガス使用状態の情報を受信する通信部と、前記ガスメータからのガス使用状態の情報を所定期間分の開始時刻と所定単位計量毎の時間間隔の差として可変長データに圧縮するデータ圧縮部と、前記データ圧縮部で圧縮した所定期間分のガス使用状態の情報を記憶する記憶部Ｃと、前記記憶部Ｃに記憶された所定期間分の圧縮されたガス使用状態の情報をまとめて無線で送信する通信部と、前記子機の電源としての電池を備え、親機を子機及びガス器具と無線通信を行う通信部と無線通信を行ったときに前記子機からの圧縮された所定期間分のガス使用状態の情報を解凍するデータ解凍部を備えたことを特徴とする請求項１に記載の無線検針装置。
【請求項５】
請求項１〜４のいずれか１項記載の無線検針装置の手段の全てもしくは一部としてコンピュータを機能させるためのプログラム。
【発明の詳細な説明】
【０００１】
【発明の属する技術分野】
本発明は、各需要家が使用したガス使用量に対する料金をその使用実態に応じてガス料金政策をとるための手段を備えた検針装置に関するものである。
【０００２】
【従来の技術】
従来のこの種の検針装置は、図１０の構成になっている（例えば特許文献１参照）。
【０００３】
図１０において、１００１はガスメータ、１００２はガス流量を計量する計量部、１００３は計量部１００２の計量結果に基づきガス流量の通常の積算値をカウントする電子式の通常積算カウンタ部、１００４は通常積算カウンタ値を送信する通信部、１００５は伝送装置（ＮＣＵ）、１００６はガスメータ１００１の送信部１００４と通信を行う通信部、１００７はガスメータ１００１からの通常積算値をもとに長時間積算値、大流量積算値、指定時間積算値、指定温度時積算値をカウントする複数電子カウンタ部、１００８は複数電子カウンタ部の値を公衆回線１００９を介して自動検針センター１０１０におくる通信部である。
【０００４】
次に従来例の構成の動作を説明する。ガスメータ１００１は通常積算カウンタ部１００３でカウントした通常積算カウンタ値をガスメータ１００１の通信部１００４から伝送装置１００５に送る。伝送装置１００５は通信部１００６を介してガスメータ１００１の通常積算カウンタ値を定期的にとりこみ、この取り込んだ通常積算カウンタ値をもとに長時間積算値、大流量積算値、指定時間積算値、指定温度時積算値を複数電子カウンタ部１００７でカウントし、この複数電子カウンタ値を送信部１００８、公衆回線１００９を介して自動検針センター１０１０に送られ、それぞれの料金体系を構築し、お客様への料金サービスを提供する。
【０００５】
【特許文献１】
特開２００２−１１６６０６公報（第５−７頁、図１２、図１３）
【０００６】
【発明が解決しようとする課題】
しかしながら従来技術では下記問題点があった。
【０００７】
ガスの使用実態ではなくガスメータ１００１からの通常積算カウンタ値の情報を基に複数電子カウンタ部１００７で料金対応のための複数カウンタ値をカウントしているため器具別等の積算値を判断する場合、通常積算カウンタの変化で判断しているために精度がわるかった。
【０００８】
また、システムを運用した後に料金政策等の変更たとえばある特定器具別の料金政策に対応し積算カウンタのカウント方法等を変更する場合、一般的には電話回線の保安器に近くに設置されている伝送装置１００５を交換するためには取り替え工事が困難であった。
【０００９】
本発明は前記従来の課題を解決するもので、時代と共に変化する料金政策等に柔軟に対応でき、かつ精度のよい複数の積算カウンタの対応ができることを目的としている。
【００１０】
【課題を解決するための手段】
前記従来の課題を解決するために、本発明の無線検針装置は、ガスメータからのガスの使用量情報としてガスメータの最大計測分解能に応じたガス使用実態を送信するガスメータと、ガスメータに接続されガスメータからのガス使用状態の情報を無線で送信する子機と、ガス器具の運転情報を無線で送信する複数のガス器具と、子機と無線通信を行い子機からのガス使用状態をもとに時間帯別、器具別のガス使用量等を算出し自動検針センターに送信する宅内に設置された親機とを備えている。
【００１１】
これにより、ガスメータ、親機、子機等設置してシステムを運用後に時間帯別、あるいは器具別のガス使用量の積算カウント方法を変更したい場合には、宅内に設置された親機を交換するか、あるいは親機のソフトを変更することで容易にシステムの拡張対応することができる。さらに、ガスメータからの最大計測分解能のガス使用実態の情報及びガス器具からの運転情報をもとに積算カウントをするために積算カウント方法に精度を持ったままで自由度のある対応ができる。
【００１２】
【発明の実施の形態】
請求項１に記載の発明は、自動検針センターと、各需要家のガス使用状態を検出するガス使用状態検出部と検出したガス使用状態を最大計測分解能の情報として送信する通信部とを備えたガスメータと、前記ガスメータに接続され前記ガスメータの通信部からガス使用状態の情報を受けて無線で送信する通信部を備えた子機と、ガス器具の運転情報を無線で送信する複数のガス器具と、前記子機及び前記ガス器具と無線通信を行う通信部と前記子機からのガス使用状態の情報と前記ガス器具からの運転情報をもとに時間帯別や器具別のガス使用量等を算出するガス使用量算出部と算出した結果を前記自動検針センターに送信する通信部を備えた宅内に設置された親機とから構成することにより、親機でガスメータの最大の計測分解能でガス使用状態の情報とガス器具からの情報を基に各種積算カウンタのカウントを行うことにより、将来カウント機能が変更されても、精度よくかつ自由度をもたせた各種積算機能をもたせることができる。また、容易に交換できる宅内にある親機で将来の料金体系による積算カウントの変更に対応することができる。
【００１３】
請求項２に記載の発明は、請求項１に記載の子機を、請求項１に記載のガスメータからのガス使用状態の情報を受信する通信部と、受信したガス使用状態の情報を所定期間分記憶する記憶部Ａと、前記記憶部Ａに記憶された所定期間分のガス使用状態の情報をまとめて無線で送信する通信部とすることにより、子機が電池を電源としている場合には、本来各種積算カウンタはリアルタイムの処理を必要としないことを利用し子機にガスメータからのガス使用状態を所定期間分記憶してまとめて親機に送信することにより子機の無線通信の回数を減らし子機の電池交換の頻度を減らすことができる。
【００１４】
請求項３に記載の発明は、請求項１に記載の子機を、請求項１に記載のガスメータからのガス使用状態の情報を受信する通信部と、前記ガスメータからのガス使用状態の情報を所定期間分の開始時刻と所定単位計量毎の時間間隔情報として記憶する記憶部Ｂと、前記記憶部Ｂに記憶された所定期間分のガス使用状態の情報をまとめて無線で送信する通信部とすることにより、子機が電池を電源としている場合には、無線でまとめて送る１ブロックの情報をガスメータの最大計測分解能毎の時刻の羅列ではなく、ブロックの最初の時刻と最大計測分解能毎の時間間隔情報を記憶することにより記憶部の記憶容量の削減と親機に送る通信時間を短くし子機の電池交換の頻度を減らすことができる。
【００１５】
請求項４に記載の発明は、請求項１に記載の子機を、請求項１に記載のガスメータからのガス使用状態の情報を受信する通信部と、前記ガスメータからのガス使用状態の情報を所定期間分の開始時刻と所定単位計量毎の時間間隔の差として可変長データに圧縮するデータ圧縮部と、前記データ圧縮部で圧縮した所定期間分のガス使用状態の情報を記憶する記憶部Ｃと、前記記憶部Ｃに記憶された所定期間分の圧縮されたガス使用状態の情報をまとめて無線で送信する通信部とすることにより、子機が電池を電源としている場合には、無線で送る１ブロック情報をブロックの最初の時刻と最大計測分解能毎の時間間隔の差の情報を可変ヒ゛ット長でもたせることで、ガス使用実態としては、器具のＯＮ、ＯＦＦのガス流量の過渡期以外はある程度流量は一定になっていることにより最小ビット長での発生確率が高いので確率的に親機に送る通信時間を短くし子機の電池交換の頻度を減らすことができる。
【００１６】
請求項５に記載の発明は、請求項１〜５のいずれか１項記載の無線検針装置の手段の全てもしくは一部をコンピュータに実行させるためのプログラムである。
【００１７】
そして、プログラムであるのでマイコン等を用いて本発明の遮断装置の一部あるいは全てを容易に実現することができる。また記録媒体に記録したり通信回線を用いてプログラムを配信したりすることでプログラムの配布やインストール作業が簡単にできる。
【００１８】
【実施例】
以下、本発明の第１、第２、第３、及び第４の実施例を図１、図２、図３、図４、図５、図６、図７、図８及び図９を参照して説明する。
【００１９】
（実施例１）
図１は本発明の第１の実施例における無線検針装置のシステムブロック図を示すものである。図１において、１１３は自動検針センタ−、１１２は公衆回線、１０１はガスメータ、１０２は各需要家のガス使用状態を検出するガス使用状態検出部、１０３は使用状態検出部１０１のガス使用状態を最大計測分解能０．１Ｌ毎に送信する通信部、１０４は子機、１０５はガスメータ１０１に接続されガスメータ１０１からのガス使用状態の情報（０．１Ｌ毎のパルス情報）を受けてその情報を無線で送信する通信部、１０６と１０７はガス器具の運転情報を無線で送信するガス器具Ａとガス器具Ｂ、１０８は宅内のモジュラージャックに接続された親機、１０９は子機１０４の通信部１０５及びガス器具１０６、１０７と通信を行う通信部、１１０は子機１０４からのガス使用状態の情報（０．１Ｌ毎のパルス情報）とガス器具１０６、１０７からの運転情報（例えばＯＮ、ＯＦＦ情報）をもとに時間帯別、器具別のガス使用量等を積算カウントするガス使用量算出部、１１１は算出した結果を公衆回線１１２を介して自動検針センター１１３に送信する通信部である。
【００２０】
以上のように構成された無線検針装置について、以下その動作、作用を説明する。
【００２１】
ガスメータ１０１がガス使用状態検出部１０２でガス使用状態を検出し通信部１０３と子機１０４の通信部１０５および親機１０８の通信部１０９を介してガス使用量算出部１１０に伝える。一方ガス器具Ａ１０６のＯＮ／ＯＦＦ情報も親機１０８の通信部１０９を介してガス使用量算出部１１０に伝える。ガス使用量算出部１１０はガス使用状態の情報（０．１Ｌ毎のパルス情報）とガス器具ＡのＯＮ／ＯＦＦ情報からガス器具Ａの器具別の使用量を積算カウントし、通信部１１１と公衆回線１１２を介して自動検針センター１１３に送信し、自動検針センター１１３で器具別の料金を設定するなどしてガス事業者が料金政策をとることができる。
【００２２】
将来的にガス事業者が料金政策を変更したいとき、たとえばガス器具Ａとガス器具Ｂを使用しているときの最大流量や、長時間使用等に変更する必要が生じた場合には、ガスメータ１０１や子機１０４を変更することなく宅内に設置された親機１０８を変更することで工事等を含めて容易に対応できる。
【００２３】
具体的には親機１０８を交換したり、マイクロコンピュータのＲＯＭを差し替えたりすることにより将来的な料金政策に容易に対応することができる。
【００２４】
また、通常積算カウント値の情報しか持っていなかった従来の検針装置と比較して宅内に設置された親機がガスメータの最大計測分解能の情報をもっていること、また器具のＯＮ／ＯＦＦ情報等をもっていることで、将来いろいろな積算カウントの精度を維持したまま料金政策に対応できる可能性と自由度をもつことができる。
【００２５】
（実施例２）
図２は、本発明の第２の実施例の無線検針装置のシステムブロック図を示すものである。
【００２６】
図２において２１３は自動検針センタ−、２１２は公衆回線、２０１はガスメータ、２０２は各需要家のガス使用状態を検出するガス使用状態検出部、２０３は使用状態検出部２０１のガス使用状態を最大計測分解能０．１Ｌ毎に送信する通信部、２０４は子機、２０５はガスメータ２０１からのガス使用状態の情報を受信する通信部、２１４は受信したガス使用状態の情報（０．１Ｌ毎のパルス情報）を所定期間分記憶する記憶部Ａ、２１５は記憶部Ａ２１４に記憶された所定期間分のガス使用状態の情報（０．１Ｌ毎のパルス情報）をまとめて無線で送信する通信部、２１５は子機の通信部２０５、記憶部Ａ２１４、通信部２１５の電源である電池、２０６と２０７はガス器具の運転情報を無線で送信するガス器具Ａとガス器具Ｂ、２０８は宅内のモジュラージャックに接続された親機、２０９は子機２０４の通信部２１５及びガス器具２０６、２０７と通信を行う通信部、２１０は子機２０４からのガス使用状態の情報（０．１Ｌ毎のパルス情報）とガス器具２０６、２０７からの運転情報（例えばＯＮ、ＯＦＦ時間）をもとに時間帯別、器具別のガス使用量等を積算カウントするガス使用量算出部、２１１は算出した結果を公衆回線２１２を介して自動検針センター２１３に送信する通信部である。
【００２７】
実施例１の構成と異なるところは電池を電源とした子機２０４に記憶部Ａ２１４を設けた点である。
【００２８】
以上のように構成された無線検針装置について、以下その動作、作用を説明する。
【００２９】
ガスメータ２０１からのガス使用状態の情報（０．１Ｌ毎のパルス情報）を基に０．１Ｌ毎に計量した時刻を０．１秒の精度で記憶部Ａに記憶する。記憶部Ａは１０２４個の時刻情報として記憶した後、通信部２１５を介して親機２０８に送信する。図３に送信するときの無線データ部のフォーマットと例を示す。０．１Ｌ毎のパルスがあったときの時刻を０．１秒の精度で１０２４個時系列的に並べた構成になっている。
【００３０】
つまり図３の例にあるように時刻が１０２４個時系列的に並べた構成になる。ガス使用状態（０．１Ｌ毎のパルス情報）を０．１Ｌ毎にその都度無線で親機２０８に送る場合と比較して無線の通信回数を１／１０２４にでき、子機の電池交換の回数を削減することができる。
【００３１】
（実施例３）
図４は、本発明の第３の実施例の無線検針装置のシステムブロック図を示すものである。
【００３２】
図４において４１３は自動検針センタ−、４１２は公衆回線、４０１はガスメータ、４０２は各需要家のガス使用状態を検出するガス使用状態検出部、４０３は使用状態検出部４０１のガス使用状態を最大計測分解能０．１Ｌ毎に送信する通信部、４０４は子機、４０５はガスメータ４０１からのガス使用状態の情報を受信する通信部、４１４は受信したガス使用状態の情報（０．１Ｌ毎のパルス情報）を所定期間分の開始時刻と所定単位計量毎の時間間隔情報として記憶する記憶部Ｂ、４１５は記憶部Ｂ４１４に記憶された所定期間分のガス使用状態の情報（０．１Ｌ毎のパルス情報）をまとめて無線で送信する通信部、４１５は子機の通信部４０５、記憶部Ｂ４１４、通信部４１５の電源である電池、４０６と４０７はガス器具の運転情報を無線で送信するガス器具Ａとガス器具Ｂ、４０８は宅内のモジュラージャックに接続された親機、４０９は子機４０４の通信部４１５及びガス器具４０６、４０７と通信を行う通信部、４１０は子機４０４からのガス使用状態の情報（０．１Ｌ毎のパルス情報）とガス器具４０６、４０７からの運転情報（例えばＯＮ、ＯＦＦ時間）をもとに時間帯別、器具別のガス使用量等を積算カウントするガス使用量算出部、４１１は算出した結果を公衆回線４１２を介して自動検針センター４１３に送信する通信部である。
【００３３】
実施例１の構成と異なるところは電池を電源とした子機に記憶部Ｂ４１４を設けた点である。
【００３４】
以上のように構成された無線検針装置について、以下その動作、作用を説明する。
【００３５】
ガスメータ４０１からのガス使用状態の情報（０．１Ｌ毎のパルス情報）を基に０．１Ｌ毎に計量した時刻を０．１秒の精度で１０２４個記憶するときに、最初のみ時刻を記憶し以降は０．１Ｌ毎のパルスの間隔を記憶部Ｂ４１４に記憶し、記憶部Ｂ４１４は１０２４個のパルス情報記憶した後、通信部４１５を介して親機４０８に送信する。図５に送信するときの無線データ部のフォーマットと例を示す。０．１Ｌ毎のパルスがあったときの最初の時刻を０．１秒の精度で最初に並べて、以降は０．１Ｌ毎のパルス間隔を１０２４個時系列的に並べた構成になっている。
【００３６】
パルス間隔は２バイトデータとして最大のパルス間隔は２の１６剰である６５５３．６秒まで記録し、それ以上間隔があいた場合には次のブロックで送信するようにしている。
【００３７】
つまり図５の例にあるように最初に時刻があり以降のデータは２バイトのパルス間隔を時系列的に並べた構成になる。それぞれのパルスを時刻として記憶する必要がないために、記憶部のメモリ容量を削減することが可能であり、かつ親機に送る電文を短くすることができる。
【００３８】
逆に総電文長を固定した場合には通信回数を短縮することができる。いずれにしても、子機の電池交換の回数を削減することができる。
【００３９】
（実施例４）
図６は、本発明の第４の実施例の無線検針装置のシステムブロック図を示すものである。
【００４０】
図６において６１３は自動検針センタ−、６１２は公衆回線、６０１はガスメータ、６０２は各需要家のガス使用状態を検出するガス使用状態検出部、６０３は使用状態検出部６０１のガス使用状態を最大計測分解能０．１Ｌ毎に送信する通信部、６０４は子機、６０５はガスメータ６０１からのガス使用状態の情報を受信する通信部、６１７はガスメータ６０１からのガス使用状態の情報（０．１Ｌ毎のパルス情報）を所定期間分の開始時刻と所定単位計量毎の時間間隔の差として可変長データに圧縮するデータ圧縮部、６１４はデータ圧縮部で圧縮した所定期間分のガス使用状態の情報（０．１Ｌ毎のパルス情報）を記憶する記憶部Ｃ、６１５は記憶部Ｃ６１４に記憶された所定期間分のガス使用状態の情報（０．１Ｌ毎のパルス情報）をまとめて無線で送信する通信部、６１５は子機の通信部６０５、データ圧縮部６１７、記憶部Ｃ６１４、通信部６１５の電源である電池、６０６と６０７はガス器具の運転情報を無線で送信するガス器具Ａとガス器具Ｂ、６０８は宅内のモジュラージャックに接続された親機、６０９は子機６０４の通信部６１６及びガス器具６０６、６０７と通信を行う通信部、６１８は通信部６１６及び６０９を介して送られてきた圧縮された所定期間分のガス使用状態の情報を解凍するデータ解凍部、６１０はデータ解凍部で解凍されたガス使用状態の情報（０．１Ｌ毎のパルス情報）とガス器具６０６、６０７からの運転情報（例えばＯＮ、ＯＦＦ時間）をもとに時間帯別、器具別のガス使用量等を積算カウントするガス使用量算出部、６１１は算出した結果を公衆回線６１２を介して自動検針センター６１３に送信する通信部である。
【００４１】
実施例１の構成と異なるところは電池を電源として子機にデータ圧縮部６１７と記憶部Ｃ６１４を設け、親機６０８にデータ解凍部６１８を設けた点である。
【００４２】
以上のように構成された無線検針装置について、以下その動作、作用を説明する。
【００４３】
ガスメータ４０１からのガス使用状態の情報（０．１Ｌ毎のパルス情報）を基に０．１Ｌ毎に計量した時刻を０．１秒の精度で１０２４個記憶するときに、最初のみ時刻を記憶し以降は０．１Ｌ毎のパルスの間隔の最新との差をデータ圧縮部で演算し、その結果を記憶部Ｃ６１４に記憶し、記憶部Ｃ６１４は１０２４個のパルス情報記憶した後、通信部６１５を介して親機６０８に送信する。親機６０８は親機６０８の通信部６０９を介して圧縮されたデータを受信し、テータ解凍部６１８で解凍してからガス使用量算出部６１０で各種積算カウントを行う。
【００４４】
図７に送信するときの無線データ部のフォーマットと例を示す。０．１Ｌ毎のパルスがあったときの最初の時刻を０．１秒の精度で最初に並べて、以降は０．１Ｌ毎のパルス間隔の差を１０２４個時系列的に並べた構成になっている。パルス間隔は可変長データとして最大は２バイトデータまでとして最大のパルス間隔は２の１４剰（２ビットは別の用途に使用するために２の１４剰となる）である１６３８．４秒まで記録し、それ以上間隔があいた場合には次のブロックで送信するようにしている。つまり図７の例にあるように最初に時刻があり以降のデータは２バイトのパルス間隔の差を時系列的に並べた構成になる。図９に可変長データのデータ構造を示す。１バイトデータかとうかはそれぞれのデータの最上位ビット（図９の拡張ビット）が０の場合は１バイトデータ、２バイトデータの場合には最上位ビット（図９の拡張ビット）を１とする。データ解凍部６１８で解凍する場合はこの最上位ビット（拡張ビット）を判断して１バイトデータか２バイトデータかを判断して解凍する。また、最上位ビットの次のビットはｆパルス間隔に増減があるために＋／−の符号として用いている。通常ガス使用実態としては、図８に示すようにガス器具のＯＮ／ＯＦＦ以外のときにはガス流量の変動がすくないために（図８の斜線部）パルス間隔の差は１バイトデータになる確率が高い。
【００４５】
したがって、２バイトの固定長のデータの場合に比べてガス器具のＯＮ／ＯＦＦが少なければ最大１／２近くまで圧縮が可能である。そのため、記憶部のメモリ容量を削減することが可能であり、かつ親機に送る電文を短くすることができる。逆に総電文長を固定した場合には通信回数を短縮することができる。いずれにしても、子機の電池交換の回数を削減することができる。
【００４６】
【発明の効果】
以上のように、本発明によれば、これによりガスメータ、親機、子機等設置してシステムを運用後に時間帯別、あるいは器具別のガス使用量の積算カウント方法を変更したい場合には、宅内に設置された親機を交換するか、あるいは親機のソフトを変更することで容易にシステムの拡張対応するとともに、親機でガスメータからの最大計測分解能のガス使用実態の情報及びガス器具からの運転情報をもとに積算カウントする積算カウント方法の精度を維持したまま自由度のある対応ができ、時代と共に変化する料金政策等に柔軟に対応できる。
【図面の簡単な説明】
【図１】本発明の実施例１における無線検針装置のシステムブロック図
【図２】本発明の実施例２における無線検針装置のシステムブロック図
【図３】本発明の実施例２における無線検針装置の無線データ部のフォーマットを示す図
【図４】本発明の実施例３における無線検針装置のシステムブロック図
【図５】本発明の実施例３における無線検針装置の無線データ部のフォーマットを示す図
【図６】本発明の実施例４における無線検針装置のシステムブロック図
【図７】本発明の実施例４における無線検針装置の無線データ部のフォーマットをしめす図
【図８】一般的な家庭のガス流量と時間の関係を示す図
【図９】本発明の実施例４における無線検針装置の無線データ部の可変長データ構造図
【図１０】従来の無線検針装置の制御ブロック図
【符号の説明】
１１３　自動検針センター
１０１　ガスメータ
１０２　ガス使用状態検出部
１０３　通信部
１０４　子機
１０５　通信部
１０６　ガス器具Ａ
１０７　ガス器具Ｂ
１０８　親機
１０９　通信部
１１０　ガス使用量算出部
１１１　通信部
【図１】
2004126936.tif 000003
【図２】
2004126936.tif 000004
【図３】
2004126936.tif 000005
【図４】
2004126936.tif 000006
【図５】
2004126936.tif 000007
【図６】
2004126936.tif 000008
【図７】
2004126936.tif 000009
【図８】
2004126936.tif 000010
【図９】
2004126936.tif 000011
【図１０】
2004126936.tif 000012